(57)【要約】      （修正有）【課題】係止された薄型テレビの背面側を有効に利用することができるようにする。【解決手段】起立板３の前面には、左右に開口部を有する筐体４が設けられており、筐体４の左上開口部には左上抽斗が、左下開口部には左下抽斗が、右上開口部には右上抽斗が、右下開口部には右下抽斗が各々摺動自在に嵌挿されている。薄型テレビ２２は、前面板７の中央部に設けられた係止金具２３を介して前面板７の前面に係止して固定される。【選択図】図１
0003139863.tif 000002
【実用新案登録請求の範囲】
【請求項１】
水平状の基盤と、
この基盤上に立設された起立板と、
この起立板の前面に設けられ、少なくとも一つの周面に開口部が設けられた筐体と、
この筐体の前面に設けられ薄型テレビを背面にて係止し支持する支持面と、
を備えることを特徴とする薄型テレビ設置用家具。
【請求項２】
前記開口部から、前記筐体内に摺動自在に配置された抽斗を有することを特徴とする請求項１記載の薄型テレビ設置用家具。
【請求項３】
前記抽斗がフルスライドレールを介して、前記筐体内に摺動自在に配置されたことを特徴とする請求項２記載の薄型テレビ設置用家具。
【請求項４】
前記開口部が左右に設けられ、各左右の開口部から前記筐体内に摺動自在に配置された左右の抽斗を備えることを特徴とする請求項２又は３記載の薄型テレビ設置用家具。
【請求項５】
前記左右の開口部及び筐体は、水平方向に延在する仕切板によりさらに上下に仕切られ、
これら上下に仕切られた左右各々一対の開口部毎に抽斗が設けられてことを特徴とする請求項４記載の薄型テレビ設置用家具。
【請求項６】
前記抽斗の内部に仕切桟を設けたことを特徴とする請求項２から５にいずれか記載の薄型テレビ設置用家具。
【請求項７】
前記抽斗に外部に突出する取っ手が設けられたことを特徴とする請求項２から６にいずれか記載の薄型テレビ設置用家具。
【考案の詳細な説明】
【技術分野】
【０００１】
本考案は、薄型テレビが設置される薄型テレビ設置用家具に関する。
【背景技術】
【０００２】
従来の薄型テレビ設置用家具としては、下記実用新案登録文献１記載のものが公知である。この薄型テレビ設置用家具は、水平状の筐体とこの筐体上に立設された起立板とを備え、この起立板の前面に薄型テレビをその背面にて係止して支持する。また、下部の筐体は、ビデオテープ等の各種物品の収納用に用いられる。
【特許文献１】特開２００６−２８８７２号公報
【考案の開示】
【考案が解決しようとする課題】
【０００３】
しかしながら、従来の薄型テレビ設置用家具にあっては、薄型テレビが係止された背面側のデッドスペースとなっており、効率的に利用されていないのが実情であった。
【０００４】
本考案は、かかる従来の課題に鑑みてなされたものであり、係止された薄型テレビの背面側を有効に利用することのできる薄型テレビ設置用家具を提供することを目的とする。
【課題を解決するための手段】
【０００５】
前記課題を解決するため請求項１記載の考案に係る薄型テレビ設置用家具にあっては、水平状の基盤と、この基盤上に立設された起立板と、この起立板の前面に設けられ、少なくとも一つの周面に開口部が設けられた筐体と、この筐体の前面に設けられ薄型テレビをその背面にて係止し支持する支持面と、を備えることを特徴とする。
【０００６】
したがって、筐体の内部を有効利用して、各種物品の収容に用いることができ、これにより薄型テレビの背面側を効率的に利用することが可能となる。
【０００７】
また、請求項２記載の考案に係る薄型テレビ設置用家具にあっては、前記開口部から、前記筐体内に摺動自在に配置された抽斗を有することを特徴とする。
したがって、抽斗を介して物品を収納及び取り出すことができ、薄型テレビの背面側の利用性能を高めることができる。
【０００８】
また、請求項３記載の考案に係る薄型テレビ設置用家具にあっては、前記抽斗がフルスライドレールを介して、前記筐体内に摺動自在に配置されたことを特徴とする。
したがって、抽斗を全長に亘って筐体から引き出すことができ、これにより抽斗の利用性能を高めることができる。
【０００９】
また、請求項４記載の考案に係る薄型テレビ設置用家具にあっては、前記開口部が左右に設けられ、各左右の開口部から前記筐体内に摺動自在に配置された左右の抽斗を備えることを特徴とする。
したがって、筐体を左右方向から利用することによる利用効率を高めることができる。
【００１０】
また、請求項５記載の考案に係る薄型テレビ設置用家具にあっては、前記左右の開口部及び筐体は、水平方向に延在する仕切板によりさらに上下に仕切られ、これら上下に仕切られた左右各々一対の開口部毎に抽斗が設けられてことを特徴とする。
これにより、左右各々上下段の抽斗を設けて、収納の細分化を図ることができる。
【００１１】
また、請求項６記載の考案に係る薄型テレビ設置用家具にあっては、前記抽斗の内部に仕切桟を設けたことを特徴とする。
【００１２】
これにより、抽斗自体においても、収納の細分化を図ることができる。
【００１３】
また、請求項７記載の考案に係る薄型テレビ設置用家具にあっては、前記抽斗に外部に突出する取っ手が設けられたことを特徴とする。
【００１４】
これにより、抽斗の操作性を向上させることができる。
【考案の効果】
【００１５】
本考案にによれば、筐体の内部を有効利用して、各種物品の収容に用いることができ、これにより薄型テレビの背面側を効率的に利用することが可能となる。
【００１６】
加えて請求項２記載の考案によれば、抽斗を介して物品を収納及び取り出すことができ、薄型テレビの背面側の利用性能を高めることができる。
【００１７】
また、請求項３記載の考案によれば、抽斗を全長に亘って筐体から引き出すことができ、これにより抽斗の利用性能を高めることができる。
【００１８】
また、請求項４記載の考案によれば、筐体を左右方向から利用することによる利用効率を高めることができる。
【００１９】
また、請求項５記載の考案によれば、左右各々上下段の抽斗を設けて、収納の細分化を図ることができる。
【００２０】
また、請求項６記載の考案によれば、抽斗自体においても、収納の細分化を図ることができる。
【００２１】
また、請求項７記載の考案によれば、抽斗の操作性を向上させることができる。
【考案を実施するための最良の形態】
【００２２】
以下、本考案の一実施の形態を図に従って説明する。図１〜図６に示すように、本実施の形態に係る薄型テレビ設置用家具１は、水平状の基盤２を有している。この基盤２は、矩形状であって後端部には、起立板３が立設されている。
【００２３】
この起立板３の前面には、左右に開口部を有する筐体４が設けられている。この筐体４は、前記起立板３を背面として、起立板３の上部に基端部が固着された上面板５と、起立板３の下部に前記上面板５と平行に固着された下面板６とこれら上面板５と下面板６の先端部に固着された前面板７とで構成されている。
【００２４】
また、筐体４の中央部には、上面板５と下面板６とに平行に平行に延在する仕切板８が設けられている。仕切板８は、基端部を起立板３に固着され、先端部を前面板７に固定されている。これにより、筐体４は左上開口部９と左下開口部１０、及び右上開口部１１と右下開口部１２とに区画されている。
【００２５】
そして、左上開口部９には左上抽斗１３が、左下開口部１０には左下抽斗１４が、右上開口部１１には右上抽斗１５が、右下開口部１２には右下抽斗１６が各々摺動自在に嵌挿されている。これら抽斗１３〜１６は、前面が開口した箱状であって、図６に示したように、抽斗１３〜１６上下の外面に設けられた抽斗側レール１７ａと、筐体４側に設けられ前記抽斗側レール１７ａと係合する筐体側レール１７ｂとからなるフルスライドレール１７を介して各開口部９〜１２を構成する上下の壁面に、摺動自在に支持されている。また、各抽斗１３〜１６は、縦桟１８と横桟１９とにより複数に仕切られており、外側面には外部に突出する取っ手２０が設けられている。
【００２６】
前記前面板７の中央部には、係止金具２３が固定されており、また、前記下面板６と基盤２との間には、金属製のスペーサ２１が配置されている。そして、図１に示すように薄型テレビ２２は、前記係止金具２３を介して前面板７の前面に係止して固定される。
【００２７】
なお、係止金具２３の一例としては、例えば特開２００８−３０３１０号公報に開示されている。また、図２に示すように、前面板７の両側部には、半透明の樹脂部材が嵌め込まれた窓部２４、２４が上下方向に設けられている。
【００２８】
以上の構成にかかる本実施の形態にかかる薄型テレビ設置用家具１にあっては、筐体４の内部を有効利用して、各種物品の収容に用いることができ、これにより薄型テレビ２２の背面側を効率的に利用することが可能となる。しかも、抽斗１３〜１６を介して物品を収納及び取り出すことができ、薄型テレビ２２の背面側の利用性能を高めることができる。
【００２９】
このとき、抽斗１３〜１６がフルスライドレール１７を介して、前記筐体４内に摺動自在に配置されていることから、抽斗１３〜１６を全長に亘って筐体４から引き出すことができ、これにより抽斗１３〜１６の利用性能を高めることができる。また、左側の抽斗１３、１４と右側の抽斗１５、１６とにより、筐体４を左右方向から利用することができ、これよっても利用効率を高めることができる。さらに、左右各々上下段の抽斗１３〜１６を設けて、収納の細分化を図ることができる。
【００３０】
また、抽斗１３〜１６自体においても、縦桟１８と横桟１９とにより複数に仕切られていることから、収納の細分化を図ることができ、また、抽斗１３〜１６に外部に突出する取っ手２０により、抽斗１３〜１６の操作性を向上させることができる。
【図面の簡単な説明】
【００３１】
【図１】本考案の一実施の形態を示す斜視図である。
【図２】同正面図である。
【図３】同平面図である。
【図４】同左側面図である。
【図５】同右側面図である。
【図６】同抽斗を取り出した状態を示す斜視図である。
【符号の説明】
【００３２】
１    薄型テレビ設置用家具
２    基盤
３    起立板
４    筐体
５    上面板
６    下面板
７    前面板
８    仕切板
９    左上開口部
１０    左下開口部
１１    右上開口部
１２    右下開口部
１３    左上抽斗
１４    左下抽斗
１５    右上抽斗
１６    右下抽斗
１７    フルスライドレール
１８    縦桟
１９    横桟
２０    取っ手
２２    薄型テレビ
２３    係止金具
【図１】
0003139863.tif 000003
【図２】
0003139863.tif 000004
【図３】
0003139863.tif 000005
【図４】
0003139863.tif 000006
【図５】
0003139863.tif 000007
【図６】
0003139863.tif 000008